(57)【要約】【課題】調光部の挿入による光学特性の悪化や歩留まりの低下を防止することができるレンズ組立体を提供する。【解決手段】レンズ組立体は、レンズ２１〜２５と、レンズ２１〜２５を保持するレンズホルダ１０とを備える。レンズホルダ１０は、第２レンズ２２の後方レンズ面２２Ｒと第３レンズ２３の前方レンズ面２３Ｆとの間に絞り部５１を挿入可能な挿入空間Ｓを形成するように第１の保持部３１と第２の保持部３２とを連結する連結部３３を有する。第２レンズ２２の後方レンズ面２２Ｒは、有効レンズ面６１と、有効レンズ面６１よりも半径方向外側に位置するガイド面６３とを含む。第３レンズ２３の前方レンズ面２３Ｆは、有効レンズ面７１と、有効レンズ面７１よりも半径方向外側に位置するガイド面７３とを含む。ガイド面６３，７３は、それぞれの有効レンズ面６１，７１のいずれの部分よりも挿入空間Ｓ側に位置している。【選択図】図９
2019061180.tif 000002
【特許請求の範囲】
【請求項１】
少なくとも１つのレンズを含む第１のレンズ群と、
少なくとも１つのレンズを含む第２のレンズ群と、
光軸に沿って前記第１のレンズ群と前記第２のレンズ群とを保持するレンズホルダと
を備え、
前記レンズホルダは、
前記第１のレンズ群を保持する第１の保持部と、
前記第２のレンズ群を保持する第２の保持部と、
前記第１のレンズ群の後方レンズ面と前記第２のレンズ群の前方レンズ面との間に調光部を挿入可能な挿入空間を形成するように前記第１の保持部と前記第２の保持部とを連結する連結部と
を有し、
前記第１のレンズ群の前記後方レンズ面は、
該後方レンズ面の有効径の範囲を含む第１の有効レンズ面と、
前記第１の有効レンズ面よりも半径方向外側に位置する第１のガイド面であって、前記第１の有効レンズ面のいずれの部分よりも前記挿入空間側に位置する第１のガイド面と
を含み、
前記第２のレンズ群の前記前方レンズ面は、
該前方レンズ面の有効径の範囲を含む第２の有効レンズ面と、
前記第２の有効レンズ面よりも半径方向外側に位置する第２のガイド面であって、前記第２の有効レンズ面のいずれの部分よりも前記挿入空間側に位置する第２のガイド面と
を含む、
レンズ組立体。
【請求項２】
前記第１のガイド面は、前記光軸に対して垂直に延びている、請求項１に記載のレンズ組立体。
【請求項３】
前記第２のガイド面は、前記光軸に対して垂直に延びている、請求項１又は２に記載のレンズ組立体。
【請求項４】
前記第１のレンズ群の前記後方レンズ面は、前記第１のガイド面から半径方向外側に向かうにつれ次第に前記挿入空間から遠ざかるように延びる第１の外側テーパ面をさらに含む、請求項１から３のいずれか一項に記載のレンズ組立体。
【請求項５】
前記第２のレンズ群の前記前方レンズ面は、前記第２のガイド面から半径方向外側に向かうにつれ次第に前記挿入空間から遠ざかるように延びる第２の外側テーパ面をさらに含む、請求項１から４のいずれか一項に記載のレンズ組立体。
【請求項６】
前記第１のレンズ群の前記後方レンズ面は、前記第１のガイド面から半径方向内側に向かうにつれ次第に前記挿入空間から遠ざかるように延びる第１の内側テーパ面をさらに含む、請求項１から５のいずれか一項に記載のレンズ組立体。
【請求項７】
前記第２のレンズ群の前記前方レンズ面は、前記第２のガイド面から半径方向内側に向かうにつれ次第に前記挿入空間から遠ざかるように延びる第２の内側テーパ面をさらに含む、請求項１から６のいずれか一項に記載のレンズ組立体。
【請求項８】
前記レンズホルダの前記連結部は、前記挿入空間に挿入される前記調光部をガイドするガイド部を含む、請求項１から７のいずれか一項に記載のレンズ組立体。
【請求項９】
請求項１から８のいずれか一項に記載されたレンズ組立体と、
羽根を含み、前記レンズ組立体の前記挿入空間に挿入される調光部を有し、前記羽根を駆動することにより前記レンズ組立体の前記第１のレンズ群を透過して前記第２のレンズ群に入射する光を調整する羽根駆動部と、
前記レンズ組立体の前記第２のレンズ群を透過した光が結像する面に配置された撮像素子と
を備える、撮像装置。
【請求項１０】
請求項９に記載された撮像装置を備える電子機器。
【発明の詳細な説明】
【技術分野】
【０００１】
本発明は、レンズ組立体、撮像装置、及び電子機器に係り、特にレンズの間に絞りやシャッタなどの調光部が挿入されるレンズ組立体に関するものである。
【背景技術】
【０００２】
最近では、スマートフォンやタブレットコンピュータ、ドローンなど、種々の電子機器にカメラモジュール（撮像装置）が組み込まれている。このようなカメラモジュールにおいては、レンズ間に絞りやシャッタなどの調光部を挿入することがある（例えば、特許文献１参照）。
【０００３】
近年の電子機器の小型化の要請に伴い、電子機器に組み込まれるカメラモジュールについても小型化することが求められており、カメラモジュール内のレンズ間の間隔も狭くなってきている（例えば、０．３ｍｍ〜０．４ｍｍ）。このため、カメラモジュールの組立時に、レンズ間に調光部を挿入する際に、レンズ面に調光部が接触し、レンズ面を傷つけてしまったり、レンズの位置がずれたりしてしまうことがある。このような場合には、カメラモジュールの光学特性の悪化や歩留まりの低下を招くことになる。
【先行技術文献】
【特許文献】
【０００４】
【特許文献１】特開平１１−３８４６７号公報
【発明の概要】
【発明が解決しようとする課題】
【０００５】
本発明は、このような従来技術の問題点に鑑みてなされたもので、調光部の挿入による光学特性の悪化や歩留まりの低下を防止することができるレンズ組立体を提供することを第１の目的とする。
【０００６】
また、本発明は、光学特性の良好な撮像装置を提供することを第２の目的とする。
【０００７】
さらに、本発明は、光学特性の良好な撮像装置を含む電子機器を提供することを第３の目的とする。
【課題を解決するための手段】
【０００８】
本発明の第１の態様によれば、調光部の挿入による光学特性の悪化や歩留まりの低下を防止することができるレンズ組立体が提供される。このレンズ組立体は、少なくとも１つのレンズを含む第１のレンズ群と、少なくとも１つのレンズを含む第２のレンズ群と、光軸に沿って上記第１のレンズ群と上記第２のレンズ群とを保持するレンズホルダとを備える。上記レンズホルダは、上記第１のレンズ群を保持する第１の保持部と、上記第２のレンズ群を保持する第２の保持部と、上記第１のレンズ群の後方レンズ面と上記第２のレンズ群の前方レンズ面との間に調光部を挿入可能な挿入空間を形成するように上記第１の保持部と上記第２の保持部とを連結する連結部とを有する。上記第１のレンズ群の上記後方レンズ面は、該後方レンズ面の有効径の範囲を含む第１の有効レンズ面と、上記第１の有効レンズ面よりも半径方向外側に位置する第１のガイド面とを含む。上記第１のガイド面は、上記第１の有効レンズ面のいずれの部分よりも上記挿入空間側に位置している。上記第２のレンズ群の上記前方レンズ面は、該前方レンズ面の有効径の範囲を含む第２の有効レンズ面と、上記第２の有効レンズ面よりも半径方向外側に位置する第２のガイド面とを含む。上記第２のガイド面は、上記第２の有効レンズ面のいずれの部分よりも上記挿入空間側に位置している。
【０００９】
このような構成により、レンズホルダによって第１のレンズ群と第２のレンズ群を位置決めされた状態で保持するとともに、位置決めされた第１のレンズ群と第２のレンズ群との間に調光部を挿入することができる。また、第１のレンズ群と第２のレンズ群との間に調光部を挿入する際に、調光部が光軸方向にずれた状態で挿入されたとしても、第１のレンズ群の後方レンズ面及び第２のレンズ群の前方レンズ面のそれぞれの有効レンズ面の半径方向外側に、これらの有効レンズ面よりも挿入空間側に位置するガイド面が形成されているので、調光部が有効レンズ面に接触する前にガイド面に接触することとなり、調光部が有効レンズ面に接触して傷つけてしまうことが防止される。したがって、調光部の挿入による光学特性の悪化や歩留まりの低下を防止することができる。
【００１０】
上記第１のガイド面及び／又は上記第２のガイド面が上記光軸に対して垂直に延びていることが好ましい。このような光軸に対して垂直に延びる第１のガイド面又は第２のガイド面は、上述のように調光部が有効レンズ面に接触することを防止するだけではなく、調光部の光軸方向の位置決めをすることもできる。
【００１１】
上記第１のレンズ群の上記後方レンズ面は、上記第１のガイド面から半径方向外側に向かうにつれ次第に上記挿入空間から遠ざかるように延びる第１の外側テーパ面をさらに含むことが好ましい。また、上記第２のレンズ群の上記前方レンズ面は、上記第２のガイド面から半径方向外側に向かうにつれ次第に上記挿入空間から遠ざかるように延びる第２の外側テーパ面をさらに含むことが好ましい。上記第１のレンズ群の上記後方レンズ面は、上記第１のガイド面から半径方向内側に向かうにつれ次第に上記挿入空間から遠ざかるように延びる第１の内側テーパ面をさらに含むことが好ましい。上記第２のレンズ群の上記前方レンズ面は、上記第２のガイド面から半径方向内側に向かうにつれ次第に上記挿入空間から遠ざかるように延びる第２の内側テーパ面をさらに含むことが好ましい。このような外側テーパ面及び／又は内側テーパ面を形成することにより、挿入空間に挿入する際に調光部が光軸方向にずれたとしても、挿入の過程で調光部が外側テーパ面にガイドされてガイド面に至ることとなるので、調光部の挿入作業が容易になる。
【００１２】
上記レンズホルダの上記連結部は、上記挿入空間に挿入される上記調光部をガイドするガイド部を含むことが好ましい。このようなガイド部をレンズホルダの連結部に形成することにより、ガイド部により調光部をガイドさせながら挿入することができるので、調光部の挿入作業がより容易になる。
【００１３】
本発明の第２の態様によれば、光学特性の良好な撮像装置が提供される。この撮像装置は、上述したレンズ組立体と、羽根を含み、上記レンズ組立体の上記挿入空間に挿入される調光部を有し、上記羽根を駆動することにより上記レンズ組立体の上記第１のレンズ群を透過して上記第２のレンズ群に入射する光を調整する羽根駆動部と、上記レンズ組立体の上記第２のレンズ群を透過した光が結像する面に配置された撮像素子とを備える。
【００１４】
本発明の第３の態様によれば、光学特性の良好な撮像装置を含む電子機器が提供される。この電子機器は、上述した撮像装置を備えている。
【発明の効果】
【００１５】
本発明によれば、レンズホルダによって第１のレンズ群と第２のレンズ群を位置決めされた状態で保持するとともに、位置決めされた第１のレンズ群と第２のレンズ群との間に調光部を挿入することができる。また、第１のレンズ群と第２のレンズ群との間に調光部を挿入する際に、調光部が有効レンズ面に接触して傷つけてしまうことを防止することができる。
【図面の簡単な説明】
【００１６】
【図１】図１は、本発明の一実施形態における撮像装置を内蔵したスマートフォンを示す斜視図である。
【図２】図２は、図１に示す撮像装置内のレンズモジュールを示す斜視図である。
【図３】図３は、図２に示すレンズモジュールの分解斜視図である。
【図４】図４は、図２に示すレンズモジュールの縦断面図である。
【図５】図５は、図４に示すレンズモジュールのレンズホルダの縦断面図である。
【図６】図６は、図４に示すレンズモジュールのレンズホルダの横断面図である。
【図７】図７は、図４に示すレンズモジュールの第２レンズの縦断面図である。
【図８】図８は、図４に示すレンズモジュールの第３レンズの縦断面図である。
【図９】図９は、図４に示すレンズモジュールを組み立てる工程を示す一部破断斜視図である。
【発明を実施するための形態】
【００１７】
以下、本発明に係るレンズ組立体を含む電子機器の実施形態について図１から図９を参照して詳細に説明する。なお、図１から図９において、同一又は相当する構成要素には、同一の符号を付して重複した説明を省略する。また、図１から図９においては、各構成要素の縮尺や寸法が誇張されて示されている場合や一部の構成要素が省略されている場合がある。
【００１８】
図１は、本発明に係る電子機器の一例としてのスマートフォン１を示す斜視図であり、このスマートフォン１の内部には、本発明に係る撮像装置としてのカメラ２が組み込まれている。図１に示すように、このカメラ２は、スマートフォン１の背面に埋設されたレンズモジュール３と、レンズモジュール３を透過した光が結像する撮像面に配置された撮像素子（図示せず）とを備えている。なお、本発明に係る電子機器は、本実施形態で述べるようなスマートフォンに限られるものではなく、タブレットコンピュータ、ラップトップコンピュータ、ドローンなど各種の電子機器に対しても本発明を適用することができる。
【００１９】
図２はレンズモジュール３を示す斜視図、図３は分解斜視図、図４は縦断面図である。図２から図４に示すように、レンズモジュール３は、複数枚のレンズ２１〜２５と、これらのレンズ２１〜２５を保持するレンズホルダ１０と、羽根を駆動する羽根駆動部１２と、レンズホルダ１０及び羽根駆動部１２に取り付けられるカバー体１４とを有している。本発明に係るレンズ組立体は、レンズ２１〜２５とこれらのレンズ２１〜２５を保持したレンズホルダ１０とにより構成される。本実施形態においては、５枚のレンズ２１〜２５がレンズホルダ１０に保持されているが、レンズホルダ１０に保持されるレンズの枚数はこれに限られるものではない。なお、本明細書においては、光軸（Ｘ軸）に沿って物体側を「前」又は「前方」、撮像面側を「後」又は「後方」と定義する。
【００２０】
図５は、レンズ２１〜２５を保持するレンズホルダ１０の縦断面図、図６は横断面図である。図３から図６に示すように、レンズホルダ１０は、２枚のレンズ２１，２２を保持する円筒状の第１の保持部３１と、３枚のレンズ２３〜２５を保持する円筒状の第２の保持部３２と、第１の保持部３１と第２の保持部３２とを連結する２つの連結部３３，３３とを有している。第２の保持部３２は、第１の保持部３１よりも外径が大きくなっている。第１の保持部３１に保持された２枚のレンズ２１，２２（第１レンズ２１及び第２レンズ２２）は、例えば正の屈折力を有する第１のレンズ群４１を構成し、第２の保持部３２に保持された３枚のレンズ２３〜２５（第３レンズ２３、第４レンズ２４、及び第５レンズ２５）は、例えば負の屈折力を有する第２のレンズ群４２を構成する。
【００２１】
図５及び図６に示すように、レンズホルダ１０の第１の保持部３１の前端には径方向内側に延びるフランジ３４が設けられている。この第１の保持部３１のフランジ３４の後端面には、第１レンズ２１の外周縁２１Ｐが当接しており、これにより第１レンズ２１の光軸方向（Ｘ方向）の位置決めが行われる。また、第１レンズ２１の外周縁２１Ｐの後端面には、第２レンズ２２の外周縁２２Ｐが当接しており、これにより第２レンズ２２の光軸方向の位置決めが行われている。さらに、第１の保持部３１の内周面には、第１レンズ２１の外径及び第２レンズ２２の外径に対応して段差が形成されており、第１レンズ２１及び第２レンズ２２がそれぞれ第１の保持部３１の内周側に嵌まり込むようになっている。このように第１レンズ２１及び第２レンズ２２が第１の保持部３１に嵌まり込むことにより、第１レンズ２１及び第２レンズ２２の光軸に垂直な方向の位置決めがなされる。
【００２２】
図６に示すように、レンズホルダ１０の連結部３３は、第２の保持部３２の前縁の内径よりも半径方向内側まで延びている。この半径方向内側に延びた連結部３３の後端面には、第３レンズ２３の外周縁２３Ｐが当接しており、これにより第３レンズ２３の光軸方向（Ｘ方向）の位置決めが行われている。また、第３レンズ２３の外周縁２３Ｐの後端面には、第４レンズ２４の外周縁２４Ｐが当接しており、これにより第４レンズ２４の光軸方向の位置決めが行われている。さらに、第４レンズ２４の外周縁２４Ｐの後端面には、第５レンズ２５の外周縁２５Ｐが当接しており、これにより第５レンズの光軸方向の位置決めが行われている。
【００２３】
第２の保持部３２の内周面には、第３レンズ２３の外径、第４レンズ２４の外径、及び第５レンズ２５の外径に対応して段差が形成されており、第３レンズ２３、第４レンズ２４、及び第５レンズ２５がそれぞれ第２の保持部３２の内周側に嵌まり込むようになっている。このように、第３レンズ２３、第４レンズ２４、及び第５レンズ２５がそれぞれ第２の保持部３２に嵌まり込むことにより、第３レンズ２３、第４レンズ２４、及び第５レンズ２５の光軸に垂直な方向の位置決めがなされる。
【００２４】
このように、レンズホルダ１０の第１の保持部３１の内部には第１のレンズ群４１（すなわち、第１レンズ２１及び第２レンズ２２）が位置決めされた状態で収容され、第２の保持部３２の内部には第２のレンズ群４２（すなわち、第３レンズ２３、第４レンズ２４、及び第５レンズ２５）が位置決めされた状態で収容される。そして、図４に示すように、撮像される物体側から撮像面に向かって光軸に沿って順番に、第１レンズ２１、第２レンズ２２、第３レンズ２３、第４レンズ２４、第５レンズ２５が配置される。なお、第５レンズ２５と撮像素子との間に、例えばガラスフィルタ（図示せず）を配置してもよい。
【００２５】
羽根駆動部１２は、羽根を駆動することにより第１のレンズ群４１を透過して第２のレンズ群４２に入射する光を調整するものであり、本実施形態では、絞り羽根を用いて第２のレンズ群４２に入射する光を絞るように構成される。具体的には、図３に示すように、羽根駆動部１２は、内部に２枚の絞り羽根（図示せず）が収容された絞り部（調光部）５１と、絞り羽根を駆動するための駆動回路及び駆動機構が収容された基部５２と、基部５２からレンズホルダ１０の側方にそれぞれ延びる枠部５３，５３とを含んでいる。絞り部５１には光を通過させる開口５４が形成されている。絞り部５１に収容された２枚の絞り羽根は、絞り部５１の開口５４を閉じるように駆動され、これにより任意の開口径が実現される。なお、この絞り部５１は、段階ごとに所定の開口径に変化させるものであってもよく、あるいは、開口径を無段階で変化させることができるものであってもよい。
【００２６】
本実施形態における絞り部５１は、基部５２の上面５２Ａから＋Ｚ方向に延びており、この絞り部５１と略平行に基部５２から枠部５３が延びている。枠部５３の前方の側面５３Ａは、レンズホルダ１０の連結部３３の側面３３Ａと略平行となっている。
【００２７】
図４に示すように、本実施形態では、絞り部５１は、第１のレンズ群４１と第２のレンズ群４２との間、すなわち第２レンズ２２と第３レンズ２３との間に配置されている。レンズモジュール３の組立時に、後述するように第２レンズ２２と第３レンズ２３との間に形成される隙間に絞り部５１を挿入することにより、第２レンズ２２と第３レンズ２３との間に絞り部５１が配置される。
【００２８】
より具体的には、図５に示すように、レンズホルダ１０の連結部３３のＸ方向の厚さＤは、絞り部５１のＸ方向の厚さＴD（図３参照）よりもわずかに大きくなっている。また、図６に示すように、レンズホルダ１０の２つの連結部３３，３３の間のＹ方向に沿った最短距離Ｗ（後述するガイド部３５，３５間の距離）は、絞り部５１のＹ方向の幅ＴW（図３参照）よりもわずかに大きくなっている。このように、レンズホルダ１０の連結部３３によって、第２レンズ２２と第３レンズ２３との間には、羽根駆動部１２の絞り部５１を挿入可能な挿入空間Ｓ（図５参照）が形成されている。後述するように、この挿入空間Ｓに羽根駆動部１２の絞り部５１が＋Ｚ方向に向かって挿入される。
【００２９】
次に、この挿入空間Ｓの前後に位置するレンズ面について説明する。図７は、第２レンズ２２の縦断面図であり、図８は、第３レンズ２３の縦断面図である。
【００３０】
図７に示すように、挿入空間Ｓの前方に位置するレンズ面、すなわち第２レンズ２２の後方レンズ面２２Ｒは、後方レンズ面２２Ｒの有効径の範囲を含む有効レンズ面（第１の有効レンズ面）６１と、有効レンズ面６１の半径方向外側に位置する内側テーパ面（第１の内側テーパ面）６２と、内側テーパ面６２の半径方向外側に位置するガイド面（第１のガイド面）６３と、ガイド面６３の半径方向外側に位置する外側テーパ面（第１の外側テーパ面）６４とを含んでいる。ガイド面６３は、光軸に対して垂直に延びており、有効レンズ面６１のいずれの部分よりも後方（すなわち＋Ｘ方向側）に位置している。内側テーパ面６２は、ガイド面６３から半径方向内側に延びる面であり、半径方向内側に向かうにつれ次第に−Ｘ方向側に傾斜又は湾曲している。外側テーパ面６４は、ガイド面６３から半径方向外側に延びる面であり、半径方向外側に向かうにつれ次第に−Ｘ方向側に傾斜又は湾曲している。
【００３１】
図８に示すように、挿入空間Ｓの後方に位置するレンズ面、すなわち第３レンズ２３の前方レンズ面２３Ｆは、前方レンズ面２３Ｆの有効径の範囲を含む有効レンズ面（第２の有効レンズ面）７１と、有効レンズ面７１の半径方向外側に位置する内側テーパ面（第２の内側テーパ面）７２と、内側テーパ面７２の半径方向外側に位置するガイド面（第２のガイド面）７３と、ガイド面７３の半径方向外側に位置する外側テーパ面（第２の外側テーパ面）７４とを含んでいる。ガイド面７３は、光軸に対して垂直に延びており、有効レンズ面７１のいずれの部分よりも前方（すなわち−Ｘ方向側）に位置している。内側テーパ面７２は、ガイド面７３から半径方向内側に延びる面であり、半径方向内側に向かうにつれ次第に＋Ｘ方向側に傾斜又は湾曲している。外側テーパ面７４は、ガイド面７３から半径方向外側に延びる面であり、半径方向外側に向かうにつれ次第に＋Ｘ方向側に傾斜又は湾曲している。
【００３２】
このような構成のレンズモジュール３を組み立てる際には、上述したレンズホルダ１０の第１の保持部３１に第１レンズ２１及び第２レンズ２２を嵌め込み、第２の保持部３２に第３レンズ２３、第４レンズ２４、及び第５レンズ２５を嵌め込み、レンズ組立体を作製する。そして、レンズホルダ１０の連結部３３により形成された挿入空間Ｓ（図５参照）に羽根駆動部１２の絞り部５１を挿入する。このとき、絞り部５１はレンズホルダ１０の−Ｚ方向側から＋Ｚ方向に向かって挿入される。
【００３３】
ここで、絞り部５１を挿入空間Ｓに挿入する際に、絞り部５１が第２レンズ２２の有効レンズ面６１や第３レンズ２３の有効レンズ面７１に接触してしまうと、有効レンズ面６１又は７１を傷つけてしまい、光学特性の悪化や歩留まりの低下を招いてしまう。本実施形態は、このような光学特性の悪化や歩留まりの低下を防止するものである。
【００３４】
例えば、絞り部５１が−Ｘ方向にずれた状態で挿入空間Ｓに挿入された場合を考える。本実施形態では、第２レンズ２２の有効レンズ面６１の外側には、有効レンズ面６１よりも＋Ｘ方向に位置するガイド面６３が形成されているので、図９に示すように、−Ｘ方向にずれた絞り部５１は、第２レンズ２２の有効レンズ面６１に接触する前にガイド面６３に接触することとなるため、絞り部５１が有効レンズ面６１に接触して傷つけてしまうことが防止される。
【００３５】
また、第２レンズ２２のガイド面６３の外側には外側テーパ面６４が形成されているので、絞り部５１が−Ｘ方向にずれた状態で挿入された場合には、絞り部５１の先端５１Ａ（図９参照）が挿入空間Ｓの入口側で外側テーパ面６４に接触した後、この外側テーパ面６４にガイドされてガイド面６３に至ることとなる。したがって、絞り部５１を滑らかに挿入空間Ｓに案内することができ、絞り部５１の挿入作業が容易になる。また、第２レンズ２２のガイド面６３の内側にも内側テーパ面６２が形成されているので、挿入空間Ｓ内に挿入された絞り部５１の先端５１Ａを＋Ｚ方向にさらに移動させる際に、絞り部５１の先端５１Ａが挿入空間Ｓの出口側で内側テーパ面６２に接触した後、この内側テーパ面６２にガイドされてガイド面６３に至ることとなるので、上述と同様に、絞り部５１の挿入作業が容易になる。
【００３６】
同様に、第３レンズ２３の有効レンズ面７１の外側には、有効レンズ面７１よりも−Ｘ方向に位置するガイド面７３が形成されている。したがって、絞り部５１が＋Ｘ方向にずれた状態で挿入された場合には、絞り部５１が第３レンズ２３の有効レンズ面７１に接触する前にガイド面７３に接触することとなるため、絞り部５１が有効レンズ面７１に接触して傷つけてしまうことが防止される。
【００３７】
また、第３レンズ２３のガイド面７３の外側には外側テーパ面７４が、内側には内側テーパ面７２がそれぞれ形成されているので、絞り部５１が＋Ｘ方向にずれた状態で挿入された場合に、絞り部５１の先端５１Ａが外側テーパ面７４及び内側テーパ面７２にガイドされてガイド面７３に至ることとなるので、絞り部５１の挿入作業が容易になる。
【００３８】
また、図９に示すように、レンズホルダ１０の連結部３３は、絞り部５１の側面５１Ｂと平行に延びるガイド部３５を有しており、Ｙ方向で対向するガイド部３５，３５の間に絞り部５１が挿入される。したがって、絞り部５１を挿入空間Ｓに挿入する際には、絞り部５１の側面５１Ｂが連結部３３のガイド部３５に摺接することとなり、絞り部５１が連結部３３のガイド部３５によりガイドされる。
【００３９】
上述のようにして、羽根駆動部１２の絞り部５１がレンズホルダ１０の挿入空間Ｓに挿入される。このとき、羽根駆動部１２の枠部５３の側面５３Ａ（図３参照）がレンズホルダ１０の連結部３３の側面３３Ａと摺接しながら、絞り部５１がレンズホルダ１０に挿入される。そして、レンズホルダ１０の第１の保持部３１が羽根駆動部１２の基部５２の上面５２Ａに当接したところで、例えば接着材でレンズホルダ１０を羽根駆動部１２に固定する。その後、レンズホルダ１０及び羽根駆動部１２の＋Ｚ方向側からカバー体１４を取り付け、このカバー体１４を例えば接着材によりレンズホルダ１０及び羽根駆動部１２に固定する。これによって、図２に示すレンズモジュール３が完成する。
【００４０】
本実施形態では、第２レンズ２２のガイド面６３及び第３レンズ２３のガイド面７３は、光軸（Ｚ方向）に対して垂直に延びている。したがって、上述のように羽根駆動部１２の絞り部５１が第２レンズ２２のガイド面６３又は第３レンズ２３のガイド面７３に当接することにより、絞り部５１の光軸方向の位置決めも行われる。このようにガイド面６３，７３は、絞り部５１が有効レンズ面６１，７１に接触することを防止するだけではなく、絞り部５１の光軸方向の位置決めをすることもできる。
【００４１】
上述した内側テーパ面６２又は７２の形状は図示のものに限られるものではなく、ガイド面６３又は７３から半径方向内側に向かうにつれ次第に挿入空間Ｓから遠ざかるように延びるものであればどのようなものであってもよい。同様に、外側テーパ面６４又は７４の形状も図示のものに限られるものではなく、ガイド面６３又は７３から半径方向外側に向かうにつれ次第に挿入空間Ｓから遠ざかるように延びるものであればどのようなものであってもよい。
【００４２】
上述の実施形態では、第１のレンズ群４１を透過した光を調整する調光部として、絞り羽根によって開口径を調整する絞り部５１を用いた例を説明したが、これに限られるものではなく、例えば、シャッタ羽根によって第１のレンズ群４１からの光を遮断するシャッタ部や所定の波長を透過するフィルタを羽根に取り付けてフィルタを切り替えるフィルタ切替部などを上述した調光部に用いることもできる。
【００４３】
なお、本明細書において使用した用語「上」、「前」、「後」、「前方」、「後方」、その他の位置関係を示す用語は、図示した実施形態との関連において使用されているのであり、装置の相対的な位置関係によって変化するものである。
【００４４】
これまで本発明の好ましい実施形態について説明したが、本発明は上述の実施形態に限定されず、その技術的思想の範囲内において種々異なる形態にて実施されてよいことは言うまでもない。
【符号の説明】
【００４５】
１    スマートフォン（電子機器）
２    カメラ（撮像装置）
３    レンズモジュール
１０    レンズホルダ
１２    羽根駆動部
１４    カバー体
２１    第１レンズ
２２    第２レンズ
２２Ｒ  後方レンズ面
２３    第３レンズ
２３Ｆ  前方レンズ面
２４    第４レンズ
２５    第５レンズ
３１    第１の保持部
３２    第２の保持部
３３    連結部
３４    フランジ
３５    ガイド部
４１    第１のレンズ群
４２    第２のレンズ群
５１    絞り部（調光部）
５２    基部
５３    枠部
５４    開口
６１    （第１の）有効レンズ面
６２    （第１の）内側テーパ面
６３    （第１の）ガイド面
６４    （第１の）外側テーパ面
７１    （第２の）有効レンズ面
７２    （第２の）内側テーパ面
７３    （第２の）ガイド面
７４    （第２の）外側テーパ面
Ｓ    挿入空間
【図１】
2019061180.tif 000003
【図２】
2019061180.tif 000004
【図３】
2019061180.tif 000005
【図４】
2019061180.tif 000006
【図５】
2019061180.tif 000007
【図６】
2019061180.tif 000008
【図７】
2019061180.tif 000009
【図８】
2019061180.tif 000010
【図９】
2019061180.tif 000011